(57)【要約】【課題】手洗い給水管の外面を伝わる水の床面への落下を防止することにより、手洗い給水管の外面から落下した水で床面が濡れるのを未然に防ぐことができる便器洗浄水タンクを提供する。【解決手段】本発明は、水洗便器１を洗浄する洗浄水を溜める便器洗浄水タンク１４であって、ロータンク本体１４ｃと、このロータンク本体の上に着脱自在に固定され且つその上面に手洗い鉢１４ｄを形成する蓋１４ｅと、ロータンク本体へ洗浄水を給水するボールタップ２２と、このボールタップから分岐し且つ手洗い鉢１４ｄの上方に吐水口３２ａを位置させるように延びる手洗い給水管３２と、を有し、手洗い給水管は、ロータンク本体又は蓋の側面１４ｈから手洗い鉢を迂回して配置されており、手洗い給水管の外面を伝わる水の床面への落下を防止する水落下防止カバー３４及び排水路３４ａを備えていることを特徴とする。【選択図】図４
2010216106.tif 000002
【特許請求の範囲】
【請求項１】
水洗便器を洗浄する洗浄水を溜める便器洗浄水タンクであって、
タンク本体と、
このタンク本体の上に着脱自在に固定され且つその上面に手洗い鉢を形成する蓋と、
上記タンク本体へ洗浄水を給水する給水手段と、
この給水手段から分岐し且つ上記手洗い鉢の上方に吐水口を位置させるように延びる手洗い給水管と、を有し、
上記手洗い給水管は、上記タンク本体又は上記蓋の側面から上記手洗い鉢を迂回して配置されており、上記手洗い給水管の外面を伝わる水の床面への落下を防止する落下防止手段を備えていることを特徴とする便器洗浄水タンク。
【請求項２】
上記落下防止手段は、上記蓋と上記タンク本体との間に配置され、上記手洗い給水管の外面を伝わる水を上記タンク本体内に排水する排水路を備えている請求項１記載の便器洗浄水タンク。
【請求項３】
更に、上記蓋と上記タンク本体との間に配置され、上記タンク本体内の内部部材への結露の落下を防ぐように覆う結露防止カバーを有し、この結露防止カバーは、上記手洗い鉢からの排水を受けて上記タンク本体内の内部部材以外の所定箇所に排水する排水路を形成し、上記落下防止手段の排水路は、上記結露防止カバーの排水路に差し向けられて配置されている請求項２記載の便器洗浄水タンク。
【請求項４】
上記落下防止手段は、上記手洗い給水管の下端部に設けられ、この手洗い給水管は、その下端部からほぼ上方に所定長さ立ち上がった後、上記手洗い鉢の上方に吐水口を位置させるように延びている請求項１乃至３の何れか１項に記載の便器洗浄水タンク。
【請求項５】
上記落下防止手段は、その外郭が、上記落下防止手段が設けられている部分の上記手洗い給水管の外郭よりも外側に位置するように構成されている請求項１乃至４の何れか１項に記載の便器洗浄水タンク。
【請求項６】
上記落下防止手段は、上記手洗い給水管に別体に設けられている請求項１乃至５の何れか１項に記載の便器洗浄水タンク。
【発明の詳細な説明】
【技術分野】
【０００１】
本発明は、便器洗浄水タンクに係り、特に、水洗便器を洗浄する洗浄水を溜める便器洗浄水タンクに関する。
【背景技術】
【０００２】
従来、水洗便器を洗浄する洗浄水を溜める便器洗浄水タンクにおいて、タンク本体上に固定された蓋の上面に手洗い鉢が形成されているものがある。そして、近年、いかにしてこの手洗い鉢のスペースを広くすることにより、使用者にとって手洗いスペースを広げて使い勝手を向上させるかが要請された課題となっている。
例えば、特許文献１に記載されている従来の便器洗浄水タンクにおいては、手洗い給水管（スパウト）をタンク本体上の蓋の上面に配置せずに、タンク本体の側面に配置することにより、手洗い鉢のスペースを広くする工夫がなされている。
【先行技術文献】
【特許文献】
【０００３】
【特許文献１】実開昭５０−９６３４７号公報
【発明の概要】
【発明が解決しようとする課題】
【０００４】
しかしながら、上述した従来の便器洗浄水タンクにおいては、タンク本体の側面に配置されているスパウトの根元部分が蓋の上面に配置されていないため、例えば、結露、スパウトの水掃除、或いは、手洗い鉢からの返り水により、スパウトの外面で水伝えが発生すると、これらの水がスパウトの外面を伝って床面に落下して濡らしてしまうという問題がある。
【０００５】
そこで、本発明は、上述した従来技術の問題点を解決するためになされたものであり、手洗い給水管の外面を伝わる水の床面への落下を防止することにより、手洗い給水管の外面から落下した水で床面が濡れるのを未然に防ぐことができる便器洗浄水タンクを提供することを目的としている。
【課題を解決するための手段】
【０００６】
上記の目的を達成するために、本発明は、水洗便器を洗浄する洗浄水を溜める便器洗浄水タンクであって、タンク本体と、このタンク本体の上に着脱自在に固定され且つその上面に手洗い鉢を形成する蓋と、上記タンク本体へ洗浄水を給水する給水手段と、この給水手段から分岐し且つ上記手洗い鉢の上方に吐水口を位置させるように延びる手洗い給水管と、を有し、上記手洗い給水管は、上記タンク本体又は上記蓋の側面から上記手洗い鉢を迂回して配置されており、上記手洗い給水管の外面を伝わる水の床面への落下を防止する落下防止手段を備えていることを特徴としている。
このように構成された本発明においては、例えば、結露、手洗い給水管の水掃除、或いは、手洗い鉢からの返り水により、手洗い給水管の外面で水伝えが発生したとしても、手洗い給水管が、その外面を伝わる水の床面への落下を防止する落下防止手段を備えているため、手洗い給水管の外面から落下した水で床面が濡れるのを未然に防ぐことができる。
【０００７】
本発明において、好ましくは、落下防止手段は、蓋とタンク本体との間に配置され、手洗い給水管の外面を伝わる水をタンク本体内に排水する排水路を備えている。
このように構成された本発明においては、落下防止手段の排水路により、手洗い給水管の外面を伝わる水をタンク本体内に排水することができるため、手洗い給水管の外面を伝わる水の床面への落下を確実に防止することができ、手洗い給水管の外面から落下した水で床面が濡れるのを未然に防ぐことができる。さらに、落下防止手段の排水路が蓋とタンク本体との間に配置されているため、手洗い鉢の手洗いスペースを確保することができ、手洗い鉢の利便性と意匠性を向上させることができる。
【０００８】
本発明において、好ましくは、更に、蓋とタンク本体との間に配置され、タンク本体内の内部部材への結露の落下を防ぐように覆う結露防止カバーを有し、この結露防止カバーは、手洗い鉢からの排水を受けてタンク本体内の内部部材以外の所定箇所に排水する排水路を形成し、落下防止手段の排水路は、結露防止カバーの排水路に差し向けられて配置されている。
このように構成された本発明においては、手洗い鉢からの排水や落下防止手段の排水路からの排水に強酸性の洗剤等の薬品が含まれていたとしても、これらの排水は、蓋とタンク本体との間に配置された結露防止カバーの排水路を経てタンク本体内の内部部材以外の所定箇所に排水されるため、タンク本体内の内部部材を薬品による腐食から保護することができる。
【０００９】
本発明において、好ましくは、落下防止手段は、手洗い給水管の下端部に設けられ、この手洗い給水管は、その下端部からほぼ上方に所定長さ立ち上がった後、手洗い鉢の上方に吐水口を位置させるように延びている。
このように構成された本発明においては、落下防止手段が手洗い給水管の下端部に設けられているため、例えば、手洗い給水管の途中に落下防止手段が設けられた場合に比べ、手洗い給水管の水伝えの対策として、落下防止手段と手洗い給水管との間にシール部材を設けたり、落下防止手段の下方部分の手洗い給水管側に特別な落下防止対策を行ったりする必要がない。この結果、より簡易な構造で確実に水伝えを防ぐことができ、手洗い給水管の外面から落下した水で床面が濡れるのを未然に防ぐことができる。
【００１０】
本発明において、好ましくは、落下防止手段は、その外郭が、落下防止手段が設けられている部分の手洗い給水管の外郭よりも外側に位置するように構成されている。
このように構成された本発明においては、落下防止手段の外郭が手洗い給水管の外郭よりも外側に位置しているため、手洗い給水管の外面を水が伝わっている途中で落下しても、この落下した水を落下防止手段の外郭の範囲内で受けることができ、床面が濡れるのを未然に防ぐことができる。
【００１１】
本発明において、好ましくは、落下防止手段は、手洗い給水管に別体に設けられている。
このように構成された本発明においては、落下防止手段が手洗い給水管に別体に設けられているため、落下防止手段にほこりやゴミが溜まった場合でも落下防止手段を簡単に取り外して掃除することができる。また、落下防止手段に何らかの不具合が生じた場合でも、この落下防止手段のみを簡単に交換することができ、メンテナンスが容易である。
【発明の効果】
【００１２】
本発明の便器洗浄水タンクによれば、手洗い給水管の外面を伝わる水の床面への落下を防止することにより、手洗い給水管の外面から落下した水で床面が濡れるのを未然に防ぐことができる。
【図面の簡単な説明】
【００１３】
【図１】本発明の第１実施形態による便器洗浄水タンクを備えた水洗便器の断面図である。
【図２】本発明の第１実施形態による便器洗浄水タンクの内部を示す正面断面図である。
【図３】本発明の第１実施形態による便器洗浄水タンクの平面図である。
【図４】図３に示す本発明の第１実施形態による便器洗浄水タンクにおいて結露防止カバーが見えるように蓋の部分の一部を切り取った平面図である。
【図５】本発明の第１実施形態による便器洗浄水タンクの結露防止カバーを斜め上方から見た斜視図である。
【図６】本発明の第１実施形態による便器洗浄水タンクの手洗い給水管が固定された蓋の後方側の側面部分を斜め上方から見た拡大斜視図である。
【図７】本発明の第１実施形態による便器洗浄水タンクの手洗い給水管が固定される蓋の後方側の側面部分を斜め上方から見た拡大斜視図である。
【図８】本発明の第１実施形態による便器洗浄水タンクの手洗い給水管が固定された蓋の後方側の側面部分において水落下防止カバーを取り外した状態を斜め上方から見た拡大斜視図である。
【図９】本発明の第１実施形態による便器洗浄水タンクの水落下防止カバーの内側部分を斜め上方から見た拡大斜視図である。
【図１０】本発明の第２実施形態による便器洗浄水タンクの手洗い給水管を示す分解斜視図である。
【図１１】図１０に示す本発明の第２実施形態による便器洗浄水タンクの手洗い給水管の下端部を拡大して斜め上方から見た拡大斜視図である。
【図１２】図１０に示す本発明の第２実施形態による便器洗浄水タンクの手洗い給水管の下端部を拡大して斜め下方から見た拡大斜視図である。
【発明を実施するための形態】
【００１４】
以下、添付図面により、本発明の第１実施形態による便器洗浄水タンクを説明する。
まず、図１は、本実施形態による便器洗浄水タンクを備えた水洗便器の断面図である。図１に示すように、符号１は水洗便器を示し、この水洗便器１の上部の前方側には、ボウル部２が形成され、後方側の上部には導水路４が、導水路４の下方にはボウル部２と連通する排水トラップ管路６が、それぞれ形成されている。
【００１５】
水洗便器１のボウル部２の上縁部にはオーバーハング形状のリム８が形成され、このリム８に導水路４から洗浄水が供給される１つ又は２つのリム吐水口１０が形成され、洗浄水が旋回しながら下降してボウル部２を洗浄できるようになっている。また、ボウル部２の中心下部には、導水路４から洗浄水が供給されるジェット吐水口１２が形成され、このジェット吐水口１２から洗浄水が排水トラップ管路６に向けて吐水され、サイホンを短時間で発生されるようになっている。
【００１６】
水洗便器１の導水路４の上方には、水洗便器１を洗浄する洗浄水を溜める本実施形態の便器洗浄水タンクに相当する、いわゆる、ロータンク１４が設けられている。このロータンク１４の底面１４ａには、水洗便器１の導水路４と連通する連通口１４ｂが形成されている。
【００１７】
つぎに、図２〜図９を参照して、本実施形態の便器洗浄水タンク（ロータンク）の詳細について説明する。ここで、図２は本実施形態の便器洗浄水タンク（ロータンク）の内部を示す正面断面図であり、図３は本実施形態の便器洗浄水タンク（ロータンク）の平面図である。
図２に示すように、ロータンク１４は、ロータンク１４の外枠を形成する陶器からなるロータンク本体１４ｃと、このロータンク本体１４ｃの上に着脱自在に固定され且つその上面に手洗い鉢１４ｄを形成する陶器からなる蓋１４ｅとを備えている。
【００１８】
ロータンク本体１４ｃは、その内部に洗浄水が貯留される内タンク１４ｆを備え、この内タンク１４ｆには、排水弁１６、オーバーフロー管１８、給水管２０、ボールタップ２２、及び、フロート２４が設けられている。また、内タンク１４ｆの上面には、詳細は後述する結露防止カバー２５が覆うように配置されている。
【００１９】
まず、排水弁１６は、大洗浄用の弁体１６ａと小洗浄用の弁体１６ｂを備え、両弁体１６ａ，１６ｂは、ロータンク１４の底面１４ａの連通口１４ｂの部分に設けられている。また、各弁体１６ａ，１６ｂは、操作レバー２６に接続された玉鎖２８ａ，２８ｂにそれぞれ接続されており、操作レバー２６を操作して大洗浄又は小洗浄を切り替えることにより、大洗浄用の弁体１６ａ又は小洗浄用の弁体１６ｂの開閉操作が行われるようになっている。そして、排水弁１６は、閉操作により洗浄水をロータンク本体１４ｃの内タンク１４ｆ内に貯水し、開操作により、ロータンク本体１４ｃの内タンク１４ｆ内の洗浄水を水洗便器１の導水路４を経由して、リム吐水口１０及びジェット吐水口１２に導くようになっている。
【００２０】
つぎに、オーバーフロー管１８は、その上端に開口１８ａが形成されその下端が排水弁１６の弁座１６ｃに連通するように設けられている。このオーバーフロー管１８により、洗浄水の水位が万一上昇しても、開口１８ａから、洗浄水がオーバーフローし、排水弁１６の弁座１６ａを経由して、さらに、水洗便器１の導水路４を経て、リム吐水口１０とジェット吐水口１２から、ボウル部２内に排出されるようになっている。
【００２１】
つぎに、給水管２０は、ロータンク１４の底面１４ａに取り付けられ、外部の水道等の給水源（図示せず）に接続され、洗浄水をロータンク本体１４ｃの内タンク１４ｆ内に供給するようになっている。
給水管２０の先端部には、ロータンク本体１４ｃの内タンク１４ｆ内に洗浄水を給水する給水手段としてボールタップ２２が設けられている。このボールタップ２２には、アーム３０が取り付けられており、さらに、アーム３０の右端部にはフロート２４が取り付けられている。フロート２４が内タンク１４ｆ内の洗浄水の水位の変動に伴って上下動することにより、ボールタップ２２内の給水バルブ（図示せず）が開閉し、給水管２０から内タンク１４ｆ内への洗浄水の吐水及び止水が切り替えられるようになっている。
【００２２】
つぎに、図２〜図５を参照して、結露防止カバー２５の詳細について説明する。ここで、図４は、図３に示す本実施形態による便器洗浄水タンクにおいて結露防止カバーが見えるように蓋の部分の一部を切り取った平面図である。また、図５は、本実施形態による便器洗浄水タンクの結露防止カバーを斜め上方から見た斜視図である。
図２〜図５に示すように、結露防止カバー２５は、その上方に位置する蓋１４ｅの内面等に付着している結露が落下し、内タンク１４ｆの内部の排水弁１６、オーバーフロー管１８、給水管２０、ボールタップ２２、及び、フロート２４等の内部機器や内部部材に濡らしてしまうのを防ぐようになっている。
【００２３】
また、結露防止カバー２５の上面は、下方に凹んで滑らかな凹曲面状の排水路２５ａを形成している。
排水路２５ａは、手洗い鉢１４ｄの排水孔１４ｇと対向する下方位置に漏斗部２５ｃを備えている。
漏斗部２５ｃは、その下端部に形成された排水孔２５ｃに向かって窄まっており、この排水孔２５ｃは、下方に向かって開口しているが、内タンク１４ｆの内部の排水弁１６、オーバーフロー管１８、給水管２０、ボールタップ２２、及び、フロート２４等の内部機器や内部部材と対向しないように位置している。
【００２４】
さらに、排水路２５ａは、その外縁から漏斗部２５ｂに向かってなだらかに下方に傾斜しており、蓋１４ｅの内面等に付着している結露が結露防止カバー２５の上面（排水路２５ａ）に落下すると、漏斗部２５ｂに向かって流れた後、この漏斗部２５ｂの排水孔２５ｃから内タンク１４ｆ内の排水弁１６、オーバーフロー管１８、給水管２０、ボールタップ２２、及び、フロート２４等の内部機器や内部部材以外の所定箇所に差し向けて排水されるようになっている。
【００２５】
また、図４においては、手洗い鉢１４ｄの排水孔１４ｇと結露防止カバー２５の排水路２５ａの漏斗部２５ｂとの互いの位置関係を明確にするために、手洗い鉢１４ｄの排水孔１４ｇを破線で示している。
図３及び図４に示すように、結露防止カバー２５の排水路２５ａの漏斗部２５ｂにおいては、蓋１４ｅの後方側の側面１４ｈに固定された手洗い給水管３２（詳細は後述する）の吐水口３２ａから手洗い鉢１４ｄに吐水され、手洗い鉢１４ｄの排水孔１４ｇから排水された水が漏斗部２５ｂに流れ、内タンク１４ｆ内の排水弁１６、オーバーフロー管１８、給水管２０、ボールタップ２２、及び、フロート２４等の内部機器や内部部材以外の所定箇所に差し向けて排水されるようになっている。
【００２６】
さらに、結露防止カバー２５の排水路２５ａには、手洗い給水管３２の外面を伝わる水の床面への落下を防止する落下防止手段である水落下防止カバー３４（詳細は後述する）の排水路３４ａが結露防止カバー２５の排水路２５ａに向かって差し向けて配置されている。手洗い給水管３２の外面を伝わった水は、水落下防止カバー３４の排水路３４ａを経て結露防止カバー２５の排水路２５ａに差し向けられ、この漏斗部２５ｂの排水孔２５ｃから内タンク１４ｆ内の排水弁１６、オーバーフロー管１８、給水管２０、ボールタップ２２、及び、フロート２４等の内部機器や内部部材以外の所定箇所に差し向けて排水されるようになっている。
【００２７】
ロータンク本体１４ｃの内タンク１４ｆ内に洗浄水を給水する給水手段であるボールタップ２２には、手洗い給水管３２へ給水を導く導水管３６が給水管２０とは別に分岐して設けられている。この導水管３６の一端部３６ａは、結露防止カバー２５の漏斗部２５ｂの後方側に配置されている（図４参照）。
【００２８】
また、導水管３６の一端部３６ａには、差し込み式の継手３６ｂが差し込まれて接続されており、この継手３６ｂにはホース３６ｃが接続されている。そして、このホース３６ｃは、手洗い給水管３２の内部ホース３２ｂに接続されている継手３６ｄに接続されている。
すなわち、継手３６ｂは、導水管３６とホース３６ｃとの接続部となり、継手３６ｄは、ホース３６ｃと手洗い給水管３２の内部ホース３２ｂとの接続部となっている。
ここで、継手３６ｂ，３６ｄが接続されているホース３６ｃの両端部（接続部）は、ロータンク本体１４ｃの内部に位置しており、万一、ホース３６ｃとその両端部の継手３６ｂ，３６ｄとの接続部の少なくともいずれか一方の接続部が外れたとしても、ホース３６ｃからロータンク本体１４ｃの外部への水漏れを防ぐことができるようになっている。
【００２９】
つぎに、図１〜図９を参照して、手洗い給水管３２の詳細について説明する。
図６は本実施形態による便器洗浄水タンクの手洗い給水管が固定された蓋の後方側の側面部分を斜め上方から見た拡大斜視図であり、図７は本実施形態による便器洗浄水タンクの手洗い給水管が固定される蓋の後方側の側面部分を斜め上方から見た拡大斜視図であり、図８は本実施形態による便器洗浄水タンクの手洗い給水管が固定された蓋の後方側の側面部分において水落下防止カバーを取り外した状態を斜め上方から見た拡大斜視図である。また、図９は本実施形態による便器洗浄水タンクの水落下防止カバーの内側部分を斜め上方から見た拡大斜視図である。
【００３０】
図１〜図９に示すように、手洗い給水管３２は、その下端部と蓋１４ｅの後方側の側面１４ｈのそれぞれに設けられた固定構造３８によって、蓋１４ｅの後方側の側面１４ｈに固定されている。
まず、蓋１４ｅの後方側の側面１４ｈに設けられた固定構造３８は、蓋１４ｅの後方側の側面１４ｈから外側に凸状に突出した一対の突起部３８ａを備え（図７及び図８参照）、この一対の突起部３８ａが手洗い給水管３２の下端部を横方向から挟み込むようになっている。
また、一対の突起部３８ａの各先端部は、上側に突出する上側突出部３８ｂと、下側に突出する下側突出部３８ｃとを形成し（図７及び図８参照）、両突起部３８ａの基端部と先端部との間にほぼ平坦な一対の上側棚部３８ｄと下側棚部３８ｅを形成している（図７参照）。
【００３１】
一方、手洗い給水管３２の下端部に設けられた固定構造３８は、手洗い給水管３２の下端部の両側からほぼ水平方向に延びる一対のフランジ部３８ｆを備え、この一対のフランジ部３８ｆは、蓋１４ｅの一対の突起部３８ａにおける上側棚部３８ｄの上に配置される。
また、手洗い給水管３２の下端部に設けられた固定構造３８は、手洗い給水管３２の下端部における一対のフランジ部３８ｆと共に蓋１４ｅの一対の突起部３８ａを下方から挟み込んで固定する固定部材である固定金具３８ｇを備えている。
【００３２】
固定金具３８ｇは、手洗い給水管３２の下端部における一対のフランジ部３８ｆと対応するように、一対の突起部３８ａの下側棚部３８ｅに配置される一対のフランジ部３８ｈを備えており、これらの両フランジ部３８ｆ，３８ｈは、ボルト３８ｉによって蓋１４ｅの一対の突起部３８ａに嵌合可能な嵌合部を構成している。すなわち、蓋１４ｅの一対の突起部３８ａを上下方向から両フランジ部３８ｆ，３８ｈで挟み込んで嵌合させた状態でボルト３８ｉを締め付けると、手洗い給水管３２の下端部が蓋１４ｅの後方側の側面１４ｈに固定されるようになっている。
【００３３】
また、図８に示すように、固定金具３８ｇの下端部は、ロータンク本体１４ｃの内側に向かって且つ斜め下方に延びており、手洗い給水管３２の内部ホース３２ｂに接続されている継手３６ｄが固定される固定部３８ｊを備えている。
【００３４】
つぎに、図３、図４、図６、及び、図９を参照して、水落下防止カバー３４の詳細について説明する。
水落下防止カバー３４は、手洗い給水管３２の下端部の固定構造３８の外側を覆うように手洗い給水管３２の下端部に取り外し可能に設けられており、水落下防止カバー３４の下端部には、斜め下方に傾斜する排水路３４ａが設けられている。
また、水落下防止カバー３４の排水路３４ａは、蓋１４ｅとロータンク本体１４ｃの結露防止カバー２５との間に配置されており、結露防止カバー２５の排水路２５ａに差し向けられている。
【００３５】
水落下防止カバー３４は、その上面にほぼＵ字形に形成された切欠き部３４ｂを備え、この切欠き部３４ｂと、これに対向する手洗い給水管３２の下端部の外面との間には、所定間隔の隙間が形成されており、万一、結露、手洗い給水管３２の水掃除、或いは、手洗い鉢１４ｄからの返り水により、手洗い給水管１４の外面で水伝えが発生したとしても、この水が手洗い給水管１４の外面を伝って切欠き部３４ｂとの隙間を通過し、排水路３４ａ上に落下して、この排水路３４ａから結露防止カバー２５の排水路２５ａへ排水されるようになっている。
【００３６】
また、図４及び図９に示すように、手洗い給水管３２の下端部の下方に位置する水落下防止カバー３４の排水路３４ａを形成する外郭３４ｃは、上面視から見て手洗い給水管３２の下端部の外郭（外面）よりも外側に位置しており、手洗い給水管３２の下端部を水が伝わっている途中で落下しても、この落下した水を排水路３４ａの外郭３４ｃの範囲内で受けることができるようになっている。
【００３７】
つぎに、手洗い給水管３２は、蓋１４ｅの一対の突起部３８ａによって横方向から両側が挟み込まれた始端部３２ｃから手洗い鉢１４ｄの高さを超える中間部３２ｄまで上方に起立して延びている。
また、手洗い給水管３２は、中間部３２ｄからその終端部である吐水口３２ａにかけて、この吐水口３２ａが手洗い鉢１４ｄの上方に位置するように、排水孔１４ｇが形成された手洗い鉢１４ｄの中心方向に向かって延びており、蓋１４ｅの上面全体が手洗い鉢１４ｄとして利用できるようにロータンク本体１４ｃの側面１４ｈから手洗い鉢１４ｄを迂回して配置されている。
【００３８】
さらに、図３に示すように、手洗い鉢１４ｄの外周は楕円形状を有している。この楕円形状の手洗い鉢１４ｄの最大横幅寸法ｌと最大奥行き寸法ｄを画定する寸法線をそれぞれＬ１、Ｌ２とすると、手洗い給水管３２の始端部３２ｃから中間部３２ｄの部分及び水落下防止カバー３４の全体は、これら寸法線Ｌ１，Ｌ２とロータンク本体１４ｃの側面１４ｈによって囲まれる領域Ａ内に配置されている。
すなわち、手洗い給水管３２の始端部３２ｃから中間部３２ｄの部分は、手洗い鉢１４の横幅寸法と奥行き寸法との最大範囲内（領域Ａ内）でロータンク本体１４ｃから起立している。
また、落下防止カバー３４がロータンク本体１４ｃの後方である領域Ａに設けられているため、便器を使用する使用者が落下防止カバー３４を目視することがなく、落下防止カバー３４を設置したとしても前方から見た便器の外観の美感が損なわれることがないようになっている。
【００３９】
また、図２〜図４に示すように、手洗い給水管３２は、蓋１４ｅの後方側の側面１４ｈにおいて正面視及び上面視から見て左側に配置されているのに対し、操作レバー２６はロータンク本体１４ｃにおいて正面視及び上面視から見て右側に配置されている。すなわち、手洗い給水管３２と操作レバー２６とは、互いに対になる方向に配置されており、手洗い給水管３２と操作レバー２６の両者の位置が互いに干渉しないように位置決めされている。
【００４０】
上述した本発明の第１実施形態の便器洗浄水タンクによれば、例えば、結露、手洗い給水管３２の水掃除、或いは、手洗い鉢１４ｄからの返り水により、手洗い給水管３２の外面で水伝えが発生したとしても、手洗い給水管３２の外面を伝わる水は、水落下防止カバー３４の排水路３４ａに落下する。そして、この排水路３４ａの排水は、結露防止カバー２５の排水路２５ａに差し向けられ、結露防止カバー２５の漏斗部２５ｂを経てその排水孔２５ｃから内タンク１４ｆ内の排水弁１６、オーバーフロー管１８、給水管２０、ボールタップ２２、及び、フロート２４等の内部機器や内部部材以外の所定箇所に排水される。
このように、手洗い給水管３２の外面を伝わる水をロータンク本体１４ｃの内タンク１４ｆ内の所定箇所に排水することができるため、手洗い給水管３２の外面から落下した水で床面が濡れるのを未然に防ぐことができる。
【００４１】
また、本実施形態の便器洗浄水タンクによれば、手洗い給水管３２の外面を伝わる水を水落下防止カバー３４の排水路３４ａから結露防止カバー２５の排水路２５ａ及び漏斗部２５ｂを経てロータンク本体１４ｃの内タンク１４ｆ内へ排水するようにしている。それゆえ、例えば、水落下防止カバー３４の排水路３４ａを便鉢等の便器本体内に直接的に接続することにより手洗い給水管３２の伝え水を便器本体内に直接的に排水するような形態や、便器本体とロータンク本体とを接続する洗浄水用の排水管に水落下防止カバー３４の排水路３４ａを直接的に接続してこの洗浄水用の配管内に手洗い給水管３２の伝え水を直接的に排水するような形態を採用した場合に比べ、便器本体の洗浄性能や洗浄水用の排水管の排水性能に影響を与えることがなく、手洗い給水管３２の外面を伝わる水の床面への落下を確実に防止することができる。
さらに、このように水落防止カバー３４の排水路３４ａを便器本体や洗浄水用の排水管に直接的に接続した形態に比べ、本実施形態のように水落下防止カバー３４の排水路３４ａを結露防止カバー２５の排水路２５ａに差し向けた形態の方が、単純な構造で排水路３４ａを形成することができ、設計及び製造共に簡略化することができる。また、便器本体や洗浄水用の排水管に、水落下防止カバー３４の排水路３４ａの排出口等を設ける必要がないため、便器本体や洗浄水用の排水管を新たに変更する必要がなく、従来品にも適用することができる。
【００４２】
また、本実施形態の便器洗浄水タンクによれば、水落下防止カバー３４の排水路３４ａが蓋１４ｅとロータンク本体１４ｃの結露防止カバー２５との間に配置されているため、手洗い鉢１４ｄの手洗いスペースを確保することができ、手洗い鉢１４ｄの利便性と意匠性を向上させることができる。
【００４３】
さらに、本実施形態の便器洗浄水タンクによれば、手洗い鉢１４ｄの排水孔１４ｇからの排水や水落下防止カバー３４の排水路３４ａからの排水に強酸性の洗剤等の薬品が含まれていたとしても、これらの排水は、蓋１４ｅとロータンク本体１４ｃとの間に配置された結露防止カバー２５の排水路２５ａから漏斗部２５ｂの排水孔２５ｃを経て内タンク１４ｆ内の排水弁１６、オーバーフロー管１８、給水管２０、ボールタップ２２、及び、フロート２４等の内部機器や内部部材以外の所定箇所に排水されるため、内タンク１４ｆ内の内部機器や内部部材を薬品による腐食から保護することができる。
また、水落下防止カバー３４や結露防止カバー２５は耐薬品製の素材で形成されているので、手洗い給水管３２や蓋１４ｅが洗剤で洗われ排水に薬品等が含まれていたとしても、腐食することがない。
【００４４】
さらに、本実施形態の便器洗浄水タンクによれば、手洗い給水管３２の外面を伝わる水の床面への落下を防止する落下防止手段である水落下防止カバー３４が手洗い給水管３２の下端部に設けられているため、例えば、手洗い給水管３２の途中に落下防止手段が設けられた場合に比べ、手洗い給水管３２の水伝えの対策として、落下防止手段と手洗い給水管３２との間にシール部材を設けたり、落下防止手段の下方部分の手洗い給水管３２側に特別な落下防止対策を行ったりする必要がない。この結果、より簡易な構造で確実に水伝えを防ぐことができ、手洗い給水管３２の外面から落下した水で床面が濡れるのを未然に防ぐことができる。
【００４５】
また、本実施形態の便器洗浄水タンクによれば、水落下防止カバー３４の排水路３４ａの外郭３４ｃが手洗い給水管３２の外郭（外面）よりも外側に位置しているため、手洗い給水管３２の外面を水が伝わっている途中で落下しても、この落下した水を水落下防止カバー３４の排水路３４ａの外郭３４ｃの範囲内で受けることができ、床面が濡れるのを未然に防ぐことができる。
【００４６】
また、本実施形態の便器洗浄水タンクによれば、水落下防止カバー３４が手洗い給水管３２の下端部に取り外し可能に別体で設けられているため、水落下防止カバー３４の内部にほこりやゴミが溜まった場合でも水落下防止カバー３４を簡単に取り外して掃除することができる。また、水落下防止カバー３４に何らかの不具合が生じた場合でも、この水落下防止カバー３４のみを簡単に交換することができ、メンテナンスが容易である。
【００４７】
つぎに、図１０〜図１２を参照して、本発明の第２実施形態による便器洗浄水タンクを説明する。
図１０は本発明の第２実施形態による便器洗浄水タンクの手洗い給水管を示す分解斜視図であり、図１１は本発明の第２実施形態による便器洗浄水タンクの手洗い給水管の下端部を拡大して斜め上方から見た拡大斜視図であり、図１２は本発明の第２実施形態による便器洗浄水タンクの手洗い給水管の下端部を拡大して斜め上方から見た拡大斜視図である。ここで、図１０〜図１２において、本発明の第１実施形態による便器洗浄水タンクの部分と同一の部分については同一の符号を付し、それらの説明は省略する。
【００４８】
図１０〜図１２に示すように、本発明の第２実施形態による便器洗浄水タンクにおいては、手洗い給水管３２の下端部が、その中心軸線Ｃ回りに所定の回動角度αの範囲内で回動可能に蓋１４ｅの後方側の側面１４ｈに固定されるようになっている点が、第１実施形態の便器洗浄水タンクと異なっている。
【００４９】
また、手洗い給水管３２の下端部の上側部分と下側部分には、ゴム製のパッキン等からなるシール部材４２ａ，４２ｂがそれぞれ設けられている。
さらに、手洗い給水管３２の下端部の中間部には、嵌合溝４４が形成され、手洗い給水管３２の底部には、凹溝４６が形成されている。
【００５０】
また、固定部材４０には、手洗い給水管３２の下端部を差し込むことにより取り付けが可能な取付け穴４０ａが形成され、この取付け穴４０ａの底面には、その取付け穴４０ａの中心軸回りに回動可能な回動容器４０ｂが設けられている。この回動容器４０ｂは、シール部材４２ｂを備えた手洗い給水管３２の下端部の下側部分を収容することができるようになっている。
さらに、回動容器４０ｂの底部には、手洗い給水管３２の底部の凹溝４６と嵌合可能な突起４０ｃが設けられており、手洗い給水管３２の下端部の下側部分を回動容器４０ｂに挿入し、手洗い給水管３２の底部の凹溝４６と回動容器４０ｂの底部の突起４０ｃとを嵌合させることにより、手洗い給水管３２の下端部の下側部分は回動容器４０ｂによって保持されるようになっている。
【００５１】
また、固定部材４０の側面には、Ｃリング４８が嵌め込み可能な嵌め込み溝４０ｄが形成されている。この固定部材４０の嵌め込み溝４０ｄは、手洗い給水管３２の下端部を固定部材４０の差し込み穴４０ａに差し込んだ状態で、手洗い給水管３２の下端部の中間部における嵌合溝４４と対向するように位置しており、手洗い給水管３２の下端部の下側部分を固定部材４０の差し込み穴４０ａの回動容器４０ｂ内に差し込んだ後、Ｃリング４８を嵌め込み溝４０ｄに嵌め込むことによって、手洗い給水管３２の下端部がシール部材４２ａ，４２ｂにより固定部材４０の差し込み穴４０ａに対して隙間なく取り付けられ、かつ固定部材４０に対して中心軸線Ｃ回りに所定の回動角度αの範囲内で回動することができるようになっている。
【００５２】
ここで、手洗い給水管３２の下端部が固定部材４０に対して中心軸線Ｃ回りに回動する所定の回動角度αの範囲については、手洗い給水管３２の吐水口３２ａが常に手洗い鉢１４ｄ上面の範囲内に位置するように設定するのが好ましい。
【００５３】
さらに、固定部材４０は、その側面から両側にほぼ水平方向に延びる一対のフランジ部４０ｅを備えている。このフランジ部４０ｅについては、上述した第１実施形態の便器洗浄水タンクにおける固定金具３８ｇの一対のフランジ部３８ｈと共に、蓋１４ｅの一対の突起部３８ａを上下方向から挟み込んで嵌合させた状態でボルト３８ｉを締め付けることにより、手洗い給水管３２の下端部がその中心軸線Ｃ回りに所定の回動角度αの範囲内で回動可能に蓋１４ｅの後方側の側面１４ｈに固定されるようになっている。
【００５４】
そして、手洗い給水管３２の下端部が蓋１４ｅの後方側の側面１４ｈに固定されると、水落下防止カバー３４が、固定部材４０及び固定金具３８ｇの外側を覆うように手洗い給水管３２の下端部に取り付けられる。
【００５５】
上述した本発明の第２実施形態の便器洗浄水タンクによれば、万一、使用者が手洗い給水管３２を誤って手すりとして握ってしまった場合でも、手洗い給水管３２の下端部が固定部材４０に対して中心軸線Ｃ回りに所定の回動角度αの範囲内で回動することができるため、使用者に対して手洗い給水管３２を手すりとして使うことの危険性を知らせることができる。
【００５６】
なお、上述した本発明の第１実施形態及び第２実施形態による便器洗浄水タンクにおいては、手洗い給水管３２については、その下端部が蓋１４ｅの後方側の側面１４ｈに固定されて手洗い鉢１４ｄを迂回して配置された形態について説明したが、このような形態に限定されず、手洗い給水管３２の下端部がロータンク本体１４ｃの側面に固定されて手洗い鉢１４ｄを迂回するように配置した形態でもよい。
【００５７】
また、上述した本発明の第１実施形態及び第２実施形態による便器洗浄水タンクにおいては、手洗い給水管３２の外面を伝わる水の床面への落下を防止する落下防止手段の一例として、手洗い給水管３２の下端部に水落下防止カバー３４の排水路３４ａを設けた形態について説明したが、このような形態に限定されず、他の形態についても適用可能である。
【００５８】
例えば、他の形態として、水落下防止カバー３４の排水路３４ａの代わりとして、手洗い給水管３２の外面の伝え水を受け留める桶のような形態や、スポンジ等の吸水性を有する材料を用いてもよい。
【００５９】
また、水落下防止カバー３４の排水路３４ａの配置についても、蓋１４ｅとロータンク本体１４ｃの結露防止カバー２５との間に配置されており、結露防止カバー２５の排水路２５ａに差し向けた形態について説明したが、結露防止カバー２５の排水路２５ａを直接的に内タンク１４ｆ内に差し向けるようにしてもよい。或いは、水落下防止カバー３４の排水路３４ａを手洗い給水管３２の手洗い鉢１４ｄの高さを超える中間部３２ｄ付近に配置して排水路３４ａを手洗い鉢１４ｄに差し向けてもよい。
【００６０】
さらに、上述した本発明の第１実施形態及び第２実施形態による便器洗浄水タンクにおいては、一例として、水落下防止カバー３４を手洗い給水管３２の下端部に取り外し可能に設けることにより、手洗い給水管３２とは別体とした形態について説明したが、このような形態に限定されず、水落下防止カバー３４を手洗い給水管３２に一体に設けてもよいし、水落下防止カバー３４の排水路３４ａに相当する排水路を蓋側の陶器と一体に設けてもよい。
【００６１】
また、上述した本発明の第１実施形態及び第２実施形態による便器洗浄水タンクにおいては、一例として、手洗い給水管３２と操作レバー２６とは、互いに対になる方向に配置することにより、手洗い給水管３２と操作レバー２６の両者の位置が互いに干渉しないように位置決めした形態について説明したが、このような形態に限定されず、手洗い給水管３２と操作レバー２６とが互いに同方向に配置された形態にしてもよい。このような形態により、使用者は、操作レバーを操作しながら手洗い給水管を手すりとして掴むことが難しくなるため、手洗い給水管を手すりとして使用する可能性を少なくすることができる。
【符号の説明】
【００６２】
１  水洗便器
２  ボウル部
４  導水路
６  排水トラップ管路
８  リム
１０  リム吐水口
１２  ジェット吐水口
１４  ロータンク
１４ａ  ロータンクの底面
１４ｂ  連通口
１４ｃ  ロータンク本体
１４ｄ  手洗い鉢
１４ｅ  蓋
１４ｆ  内タンク
１４ｇ  排水孔
１４ｈ  蓋の後方側の側面
１６  排水弁
１８  オーバーフロー管
２０  給水管
２２  ボールタップ
２４  フロート
２５  結露防止カバー
２５ａ  排水路
２５ｂ  漏斗部
２５ｃ  排水孔
２６  操作レバー
２８ａ，２８ｂ  玉鎖
３０  アーム
３２  手洗い給水管
３２ａ  吐水口
３２ｂ  内部ホース
３２ｃ  始端部
３２ｄ  中間部
３４  水落下防止カバー
３４ａ  排水路
３４ｂ  切欠き部
３４ｃ  外郭
３６  導水管
３６ａ  導水管の端部
３６ｂ，３６ｄ  継手
３６ｃ  ホース
３８  固定構造
３８ａ  突起部
３８ｂ  上側突出部
３８ｃ  下側突出部
３８ｄ  上側棚部
３８ｅ  下側棚部
３８ｆ  フランジ部
３８ｇ  固定金具
３８ｈ  フランジ部
３８ｉ  ボルト
３８ｊ  固定部
４０  固定部材
４０ａ  取付け穴
４０ｂ  回動容器
４０ｃ  突起
４０ｄ  嵌め込み溝
４０ｅ  フランジ部
４２ａ，４２ｂ  シール部材
４４  嵌合溝
４６  凹溝
４８  Ｃリング
【図１】
2010216106.tif 000003
【図２】
2010216106.tif 000004
【図３】
2010216106.tif 000005
【図４】
2010216106.tif 000006
【図５】
2010216106.tif 000007
【図６】
2010216106.tif 000008
【図７】
2010216106.tif 000009
【図８】
2010216106.tif 000010
【図９】
2010216106.tif 000011
【図１０】
2010216106.tif 000012
【図１１】
2010216106.tif 000013
【図１２】
2010216106.tif 000014